(57)【要約】【課題】  夜間閉店後でも、必要があるときは、作業現場近くで所定のエリア単位で照明のオンオフができるようにする。【解決手段】  マスターコントローラ２は、通信線４を介して複数台のショーケース３を一括して集中管理し、予め設定された所定のスケジュールに従って各ショーケース３の照明装置をオンオフ制御する。エリア照明コントローラ５は、ショーケース３のグループに対応してグループの近傍に設置され、手動操作により、ショーケースの照明装置をグループ毎に、前記スケジュールに関わらずオンオフ制御可能にしている。また、前記スケジュールのオンオフ反転時には、スケジュールによる制御を優先して、オンオフさせる。【選択図】        図１
2005302316.tif 000002
【特許請求の範囲】
【請求項１】
通信線を介して複数台のショーケースを一括して集中管理し、所定のスケジュールに従って各ショーケースの照明装置をオンオフ制御するマスターコントローラと、前記ショーケースのグループに対応してグループの近傍に設けられ、照明装置を前記スケジュールに関わらずグループ毎にオンオフ制御するエリア照明コントローラとを具えたことを特徴とするショーケースの照明制御装置。
【請求項２】
前記スケジュールのオンオフ反転時には、スケジュールによる制御を優先することを特徴とする請求項１記載のショーケースの照明制御装置。
【請求項３】
前記エリア照明コントローラにタイマーを設け、所定時間後に前記スケジュール通りの状態に戻すことを特徴とする請求項１又は２記載のショーケースの照明制御装置。
【発明の詳細な説明】
【技術分野】
【０００１】
本発明は、マスターコントローラで運転が集中管理される冷凍・冷蔵ショーケースが複数台設置された場所において、各ショーケースの照明装置をオンオフ制御するためのショーケースの照明制御装置に関するものである。
【背景技術】
【０００２】
食品スーパー等の店舗では、多数の冷凍・冷蔵ショーケースが設置されており、各ショーケースには、内部に陳列されている商品を照明するための庫内照明と外部表示パネル等を照明するための庫外照明が具えられている。従来、それらの照明は、店舗が開店している間は点灯され、閉店になったら消灯されるが、そのような照明のオンオフは次のようにして行っていた。
【０００３】
すなわち、各ショーケースに照明スイッチを設けるとともに、複数のショーケースをグループ分けして、配電盤に設けたブレーカにそれぞれの照明装置をグループ毎に接続し、各ショーケースのスイッチによって個々の照明をオンオフするとともに、ブレーカによりグループ毎に一括して照明をオンオフするようにしていた。しかし、そのようなものでは、各ショーケースのスイッチを操作するのは煩わしいし、グループ単位でオンオフするには、いちいち配電盤まで行かなければならず手間がかかる。
【０００４】
そこで、特許文献１に示されるように、各ショーケースにマイコン回路とディップスイッチとを設け、ディップスイッチでグループ設定を行い、グループ内では、いずれかのショーケースにおいて照明スイッチを操作するだけで、グループ全体の照明をオンオフ制御できるようにしたショーケースの照明制御装置が提案されている。そのショーケースの照明制御装置では、全ショーケース共通にカレンダータイマーを接続して、夜の所定時間になると照明を一斉に消灯すると同時に、ショーケース側のスイッチでの制御を禁止するとともに、朝の所定時間になると、各ショーケースのスイッチでの制御を解禁するようにしている。
【０００５】
また、特許文献２に示されるような、複数台のショーケースをマスターコントローラで一括して管理するようにしたショーケース集中管理システムにおいて、マスターコントローラで、ショーケースの照明装置も一括して管理することが行われている。その場合は、マスターコントローラでショーケースのグループを設定して、グループ毎に照明装置をオンオフ制御できるようにしている。
【特許文献１】特公平７−１２０５５７号公報（Ｈ０５Ｂ  ３７／０２）
【特許文献２】特開２００１−２８０７７９号公報（Ｆ２５Ｄ  １１／００）
【発明の開示】
【発明が解決しようとする課題】
【０００６】
しかしながら、上記従来の照明制御装置の内、前者のものでは、予め設定されている時間になるとカレンダータイマーによりショーケースの照明が一斉に消灯されて、その後に作業上の必要があって特定場所のショーケースの照明を点灯させたい場合でも、点灯させることができないという問題点があった。
【０００７】
また、上記従来の照明制御装置の内、後者のものでは、マスターコントローラは、通常、事務所に設置されているため、夜間に、作業上の必要があって特定場所のショーケースの照明を点灯させたい場合、いちいち事務所迄行ってドアの鍵を開けた後、マスターコントローラを操作する必要がある。また、ショーケース側でも照明のオンオフはできるが、１台毎にオンオフする必要があって、複数台のショーケースについてオンオフする場合には手間がかかって不便であるという問題点があった。
【０００８】
本発明は、そのような問題点に鑑み、夜間閉店後でも、作業上の必要があるときはいつでも、作業現場近くで、かつ、所定のエリア単位でショーケース照明のオンオフができるようにすることを目的とするものである。
【課題を解決するための手段】
【０００９】
前記課題を解決するため、請求項１に記載のショーケースの照明制御装置は、通信線を介して複数台のショーケースを一括して集中管理し、所定のスケジュールに従って各ショーケースの照明装置をオンオフ制御するマスターコントローラと、前記ショーケースのグループに対応してグループの近傍に設けられ、照明装置を前記スケジュールに関わらずグループ毎にオンオフ制御するエリア照明コントローラとを具えたことを特徴とする。
【００１０】
また、請求項２に記載のショーケースの照明制御装置は、前記スケジュールのオンオフ反転時には、スケジュールによる制御を優先することを特徴とする。
【００１１】
また、請求項３に記載のショーケースの照明制御装置は、前記エリア照明コントローラにタイマーを設け、所定時間後に前記スケジュール通りの状態に戻すことを特徴とする。
【発明の効果】
【００１２】
本発明のショーケースの照明制御装置は、次のような効果を奏する。
【００１３】
すなわち、請求項１に記載のショーケースの照明制御装置は、ショーケースのグループに対応してエリア照明コントローラを、ショーケースのグループの近傍に設け、ショーケースの照明装置を、予め設定されたスケジュールに関わらずグループ毎にオンオフ制御できるようにしたので、夜間閉店後でも、必要があるときはいつでも、作業現場近くで所定のエリア単位で照明のオンオフができるようになる。
【００１４】
また、請求項２に記載のショーケースの照明制御装置は、前記スケジュールのオンオフ反転時には、スケジュールによる制御を優先するようにしたので、エリア照明コントローラにおいて、復帰のためのスイッチ操作を忘れることがあっても、スケジュール制御に影響を与えないようになる。
【００１５】
また、請求項３に記載のショーケースの照明制御装置は、前記エリア照明コントローラにタイマーを設け、所定時間後に前記スケジュール通りの状態に戻すようにしたので、復帰のためのスイッチ操作を忘れることがあっても、一定時間後には、スケジュール通りの状態に復帰させることができる。
【発明を実施するための最良の形態】
【００１６】
以下、本発明の実施例を図面に基づいて詳細に説明する。
【実施例】
【００１７】
図１は、本発明のシステム構成図である。図１において、１は管理コンピュータ、２はマスターコントローラ、３はショーケース、４は通信線、５はエリア照明コントローラ、６は店舗売場、７は店舗事務室である。
【００１８】
ショーケース３は、店舗売場６内に複数台設置されており、それぞれのショーケース３では、庫内に陳列されている商品の冷却を行う。それらのショーケース３は、通信線４により店舗事務室７内に設置されているマスターコントローラ２に接続されており、マスターコントローラ２は、全てのショーケース３を一括して管理し、各ショーケース３，３，・・・の温度設定等の各種設定や運転状況に関するデータの収集を１箇所で行うようにしている。
【００１９】
各ショーケース３には、庫内に陳列されている商品を照明するための庫内照明装置と、外部表示パネル等を照明するための庫外照明装置が具えられており、それらの照明装置は、通信線４を介して、マスターコントローラ２から制御信号を受けて、マイコン内蔵の制御装置によりオンオフ制御できるようになっている。そして、マスターコントローラ２には、スケジュール制御のため、店舗の開店時間と閉店時間とに基づいて、ショーケース３の照明点灯時刻と消灯時刻が設定されており、点灯時刻になったら店舗内全ショーケース３の照明装置を一斉に点灯させ、消灯時刻になったら一斉に消灯させる。
【００２０】
また、上記のような予め決められたオンオフ制御に加えて、マスターコントローラ２は、手動操作により各ショーケース３毎に照明のオンオフ制御が可能であり、さらに、ショーケース３のグループを設定し、グループ毎に照明のオンオフ制御が可能になっている。
【００２１】
本発明では、このようなショーケース制御システムの通信線４にエリア照明コントローラ５を接続している。ここで、各ショーケース３は、精肉，鮮魚，野菜等、陳列する商品の種類等に応じてグループ化されており、エリア照明コントローラ５は、それらのグループに対応して設けられている。そして、それらは、グループ内のいずれかのショーケース３に設置するか、グループに近接する壁面等に設置する。
【００２２】
エリア照明コントローラ５は、各ショーケース３の庫内照明装置，庫外照明装置の点灯スイッチと消灯スイッチをそれぞれ有しており、それらのスイッチを操作すると、マスターコントローラ２のオンオフスケジュールに関わらず照明がオンオフされる。例えば、閉店時刻が過ぎてマスターコントローラ２のスケジュールが全ショーケース３の照明を消灯している状態にあっても、いずれかのエリア照明コントローラ５の庫内照明装置か庫外照明装置の点灯スイッチが押されれば、該当するグループに属するショーケース３の照明が点灯される。そして、消灯スイッチが押されれば、点灯していた照明が消灯される。
【００２３】
反対に、マスターコントローラ２が全ショーケース３の照明を点灯している状態にあっても、いずれかのエリア照明コントローラ５の庫内照明装置か庫外照明装置の消灯スイッチが押されれば、該当するグループに属するショーケース３の庫内照明か庫外照明が消灯される。そして、点灯スイッチが押されれば、消灯していた照明が点灯される。ただ、エリア照明コントローラ５により点灯又は消灯された照明は、マスターコントローラ２のスケジュール制御で設定されている消灯時刻又は点灯時刻になったら、スケジュール制御に戻って、消灯又は点灯されるようにしている。
【００２４】
その照明制御について、図２を使って説明する。照明スケジュールは、マスターコントローラ２に設定されており、消灯時刻Ｔ０ＦＦになると、マスターコントローラ２から各ショーケース３に消灯の指令が送信され、全ショーケースの照明が消灯されるようになっている。そして、消灯後に、特定のグループのショーケース３について、商品の入れ替え，ショーケース３の清掃等の作業が必要になったら、作業員は、該当するショーケース３が設置されているエリアに行き、グループ内のいずれかのショーケース３に設置されるか、グループに近接する壁面等に設置されているエリア照明コントローラ５の点灯スイッチを操作する。
【００２５】
エリア照明コントローラ５の点灯スイッチが操作されると、点灯信号が通信線４を介してマスターコントローラ２に送られる。マスターコントローラ２は、エリア照明コントローラ５から点灯信号を受信すると、どのエリア照明コントローラ５からのものかを判別し、そのエリア照明コントローラ５に対応するグループのショーケース３に、庫内照明か庫外照明か、あるいは両方の点灯信号を送信する。その結果、該当するグループの全ショーケース３の照明が点灯され、必要な作業を行える状態になる。
【００２６】
作業が終了したら、エリア照明コントローラ５の消灯スイッチを操作する。エリア照明コントローラ５の消灯スイッチが操作されると、消灯信号が通信線４を介してマスターコントローラ２に送られる。マスターコントローラ２は、エリア照明コントローラ５から消灯信号を受信すると、どのエリア照明コントローラ５からのものかを判別し、そのエリア照明コントローラ５に対応するグループのショーケース３に、消灯信号を送信する。その結果、該当するグループの全ショーケース３の照明が消灯される。
【００２７】
また、消灯中の照明をエリア照明コントローラ５により点灯させた後、消し忘れることがあっても、マスターコントローラ２のスケジュール制御で設定されている消灯時刻になったら、マスターコントローラ２は、全ショーケース３に消灯信号を送信するようにして、スケジュール制御に影響を与えないようにしている。
【００２８】
また、エリア照明コントローラ５にタイマーを設け、所定時間後にマスターコントローラ２のスケジュールの状態に戻すようにしてもよい。そのようにすれば、復帰のためのスイッチ操作を忘れることがあっても、一定時間後には、スケジュール通りの状態に復帰させることができる。
【図面の簡単な説明】
【００２９】
【図１】本発明のシステム構成図である。
【図２】照明制御の説明図である。
【符号の説明】
【００３０】
１…管理コンピュータ
２…マスターコントローラ
３…ショーケース
４…通信線
５…エリア照明コントローラ
６…店舗事務室
７…店舗売場
【図１】
2005302316.tif 000003
【図２】
2005302316.tif 000004